(57)【要約】【課題】搬送経路に沿ってシートを搬送する搬送機構部を有し、カバーと装置との間に装飾シートを挟持し得るシート搬送装置に関し、より簡素な構成で装飾シートを所定位置に保持し、装飾シートにより、広範囲を装飾可能なシート搬送装置を提供する。【解決手段】多機能機１は、シートカバー２５内に、シート搬送路Ｒに沿って原稿シートを搬送するシート搬送ユニット６０を有している。シートカバー２５上面を構成する第１トップカバー取付面４６には、第１係合孔４８が形成されており、第１トップカバー７０の第１スライド係合片７４と協働することで、第１トップカバー７０が着脱可能に取り付けられる。第１スライド係合片７４は、対向面７１Ａとの間に間隙Ｇを形成するシート保持リブ７４Ａを有しており、間隙Ｇに装飾シートＤを挿入することで、対向面７１Ａに沿って装飾シートＤを保持する。【選択図】図８
2012220921.tif 000002
【特許請求の範囲】
【請求項１】
所定の搬送経路に沿ってシートを搬送するシート搬送機構を収容した装置筐体と、
透光性を有する材料で形成され、前記装置筐体の一面に沿った平面部を有すると共に、前記装置筐体に着脱可能に取り付けられるカバー部材と、
前記装置筐体の一面と、前記カバー部材の間に配設される装飾シートと、
を有するシート搬送装置であって、
前記カバー部材は、
当該カバー部材を装置筐体に取り付けた場合に、前記装置筐体の一面に対向する前記平面部の対向面よりも、前記装置筐体側に延設され、前記装置筐体表面に形成された被係合部に係合する係合片を有し、
前記係合片は、
前記平面部の対向面に向かって立設され、前記平面部の対向面との間に、前記装飾シートが進入可能な間隙部を形成することにより、前記装飾シートの端縁を保持可能なシート保持リブを有する
ことを特徴とするシート搬送装置。
【請求項２】
請求項１記載のシート搬送装置であって、
前記カバー部材は、
前記平面部の端縁から前記装置筐体側に向かって延出された側面部を有し、
前記係合片は、
前記カバー部材の側面部から、前記平面部と所定の間隔を隔て、且つ、前記平面部に沿って延出され、
前記間隙部は、
前記シート保持リブと前記平面部の対向面との間において、前記側面部の逆側が開放されている
ことを特徴とするシート搬送装置。
【請求項３】
請求項１又は請求項２記載のシート搬送装置であって、
前記被係合部は、
前記装置筐体表面に沿って形成され、前記カバー部材の係合片と係合する被係合片と、
前記被係合片よりも前記装置筐体内部側に形成され、前記カバー部材の係合片が移動可能な係合片移動空間と、を有する
ことを特徴とするシート搬送装置。
【請求項４】
請求項１乃至請求項３の何れかに記載のシート搬送装置であって、
前記カバー部材は、
前記平面部の対向面に対して立設された突出部を有し、
当該突出部は、
前記対向面と平行な平面方向において、前記シート保持リブとの間に、前記装飾シートが進入可能な間隔を隔てて形成されており、
当該突出部の先端部は、
前記対向面と鉛直な方向において、前記シート保持リブの端面よりも前記対向面から離間した位置に形成されている
ことを特徴とするシート搬送装置。
【請求項５】
請求項１乃至請求項４の何れかに記載のシート搬送装置であって、
前記カバー部材は、
前記対向面と前記シート保持リブの間の間隙部によって、前記装飾シートがカバー部材に保持されている場合であっても、前記装置筐体に形成された被係合部が進入可能な被係合部進入空間を、前記対向面と前記係合片の間に有する
ことを特徴とするシート搬送装置。
【発明の詳細な説明】
【技術分野】
【０００１】
本発明は、所定の搬送経路に沿ってシートを搬送する搬送機構部を有するシート搬送装置に関する。
【背景技術】
【０００２】
従来、プリンタ装置、ファクシミリ装置、スキャナ装置、多機能機等においては、所定の搬送経路に沿ってシートを搬送する搬送機構部を有し、前記搬送経路に沿ってシートを搬送することにより、当該シート上に形成された画像の読み取りや、当該シート上に対する画像の形成を行っている。
【０００３】
このような搬送機構部を有するシート搬送装置に関する発明として、特許文献１記載の発明が知られている。特許文献１記載のファクシミリ装置は、アクリル樹脂等の透明プラスチックによって、平板状に形成された透明板部の四隅を、ネジ等により固定することによって、透明板部を装置表面に対して着脱可能に取り付け、当該装置における外観の多様化を図っている。
【先行技術文献】
【特許文献】
【０００４】
【特許文献１】特開２００３−０７２１９１号公報
【発明の概要】
【発明が解決しようとする課題】
【０００５】
ここで、特許文献１記載のファクシミリ装置は、模様紙等の装飾物を、透明板部と装置表面との間で挟持することで、透明板部を介して、当該装飾物の装飾模様を視認可能とし、もって、当該ファクシミリ装置の外観を装飾している。具体的には、特許文献１記載のファクシミリ装置の場合、ユーザは、装飾物を装置表面における所望の位置に載置し、その状態で装置表面に対して透明板部を取り付ける。この時、ユーザは、透明板部の四隅にネジを螺着することにより、装飾物を、透明板部と装置表面の間に挟持・固定する。
【０００６】
上述したように、特許文献１においては、装置表面に装飾物を載置した状態で、透明板部を取り付けることで、装置表面と透明板部の間で、装飾物を挟持するため、装飾物は、ネジによる透明板部の固定を完了するまでの間、装置表面上を移動し得る。この結果、特許文献１記載の構成では、透明板部の固定を完了した時点で、装飾物の位置がユーザ所望の位置からずれてしまう場合がある。そうすると、ユーザは、所望の位置に配設し得るまで、透明板部を用いた装飾物の取付作業を繰り返さなければならない。
【０００７】
又、特許文献１においては、透明板部の四隅の挿通孔を介して、装置表面上に形成されたネジ孔にネジを取り付けることにより、透明板部を装置表面に取り付けている。この構成の場合、透明板部をネジにより装置表面に取り付ける必要上、当該装飾物は、ネジ部分に存在し得ない。つまり、特許文献１では、透明板部と装置表面に興じ得る装飾物のサイズが、ネジ等の存在によって制限されてしまい、透明板部全体を用いて、装飾物による装飾を行うことができない。
【０００８】
又、特許文献１では、透明板部を装置表面から取り外すためには、透明板部の四隅から夫々ネジを取り外す必要があるため、装飾物を交換する場合、ユーザは、複数のネジの取り外し作業及び取付作業という煩雑な作業を行う必要がある。このため、透明板部の取付構造としても、より簡素であって、容易な操作で着脱し得る構成が要望されている。
【０００９】
本発明は、搬送経路に沿ってシートを搬送する搬送機構部を有し、カバーと装置との間に装飾シートを挟持し得るシート搬送装置に関し、より簡素な構成で装飾シートを所定位置に保持可能であって、装飾シートにより、装置表面の広範囲を装飾可能なシート搬送装置を提供する。
【課題を解決するための手段】
【００１０】
本発明の一側面に係るシート搬送装置は、装置筐体と、透光性を有する材料で形成されたカバー部材と、装飾シートを有し、装置筐体の一面とカバー部材の間に、装飾シートを配置することにより、当該シート搬送装置の外観を装飾し得る。そして、当該カバー部材は、平面部の対向面よりも前記装置筐体側に係合片を有しており、当該係合片を、前記装置筐体表面に形成された被係合部と係合させることにより、装置筐体表面に対して着脱可能に取り付けられる。従って、当該シート搬送装置は、係合片と被係合部という簡素な構成で、カバー部材の着脱を可能とし、さらに、装飾シートを交換することにより、シート搬送装置の外観に多様性を付与することができる。更に、係合片は、平面部の対向面に向かって立設されたシート保持リブを有しており、平面部の対向面との間に、間隙部を形成する。当該間隙部は、装飾シートを進入させることができるので、当該シート搬送装置は、カバー部材における平面部の対向面に沿って、装飾シートを保持することができる。即ち、係合片は、カバー部材を装置筐体の一面に着脱可能に取り付ける機構を構成すると共に、装飾シートをカバー部材の平面に沿って保持する機構を構成する。又、当該カバー部材において、間隙部は、係合片及びシート保持リブよりも平面部の対向面側に位置する。つまり、カバー部材に装飾シートを保持させた場合、間隙部内に装飾シートが存在するため、係合片及びシート保持リブは、装飾シートにより隠される。この結果、当該シート搬送装置は、装飾シートを保持させることによって、係合片やシート保持リブを隠すことができ、もって、係合片等が露呈することにより装置の美観を損ねることはない。
【００１１】
そして、本発明の他の側面に係るシート搬送装置において、前記係合片は、前記平面部と所定の間隔を隔て、且つ、前記平面部に沿って前記カバー部材の側面部から装置筐体側に延出されている。更に、前記間隙部は、前記シート保持リブと前記平面部の対向面との間において、前記側面部の逆側が開放されている。即ち、当該シート搬送装置によれば、係合片は、平面部の対向面から直接形成されておらず、間隙部を介して、前記対向面と対向し、間隙部により、側面部近傍に装飾シートの端縁を保持し得るので、カバー部材の平面部全域に相当する大きさの装飾シートを、切り欠き等の加工を施すことなく、当該シート搬送装置の装飾に用いることができる。
【００１２】
又、本発明の他の側面に係るシート搬送装置において、被係合部は、被係合片と、係合片移動空間とを有して構成されている。装飾シートを保持した状態でカバー部材を取り付けた場合、被係合片は、装置筐体表面に沿って形成されているため、当該装飾シートによって隠される。同様に、係合片移動空間は、被係合片よりも装置筐体内部側に形成されているため、装飾シートを保持した状態でカバー部材を取り付けた場合、係合片移動空間も、装置筐体表面に沿って形成されているため、当該装飾シートによって隠される。つまり、当該シート搬送装置によれば、対向面に沿って装飾シートを保持した状態で、カバー部材を装置筐体の一面に取り付けた場合であっても、被係合部がシート搬送装置の外観に見えることはない。従って、当該シート搬送装置は、美観を高めることができる。
【００１３】
そして、本発明の他の側面に係るシート搬送装置において、カバー部材は、対向面と鉛直な方向に立設された突出部を有している。当該突出部は、前記対向面と平行な平面方向において、前記シート保持リブとの間に、前記装飾カバーが進入可能な間隔を隔てて形成されている。又、突出部の先端部は、前記対向面と鉛直な方向において、前記シート保持リブの端面よりも前記対向面から離間した位置に形成されている。従って、対向面と平行な平面方向において、装飾シートの端縁は、対向面に沿った後、突出部の先端部、上述した突出部とシート保持リブの間の間隔部分を介して、シート保持リブの端面と接触して変形する。そして、この変形に伴う装飾シート自体の復元力より、突出部の先端部及びシート保持リブの端面により確実に接触することになる。この結果、当該シート搬送装置によれば、突出部及びシート保持リブの協働により、カバー部材における所望の位置に、装飾シートを確実に保持させ得る。
【００１４】
又、本発明の他の側面に係るシート搬送装置において、被係合部進入空間を、前記対向面と前記係合片の間に有する。そして、被係合部進入空間は、装飾シートがカバー部材に保持されている場合であっても、前記装置筐体に形成された被係合部が進入可能に構成されている。従って、当該シート搬送装置によれば、被係合部進入空間を有することにより、装飾シートを保持した状態で、カバー部材を装置筐体の一面に取り付け得る。これにより、当該シート搬送装置によれば、ユーザは、装飾シートの取付作業、及び、装飾シートの交換作業を容易に行い得る。
【図面の簡単な説明】
【００１５】
【図１】多機能機の外観斜視図である。
【図２】シートカバーの構成を示す断面図である。
【図３】上部カバーの構成を示す外観図である。
【図４】第１トップカバーを示す外観図である。
【図５】第１スライド係合片近傍の構成を示す断面図（１）である。である。
【図６】第１スライド係合片近傍の構成を示す断面図（２）である。
【図７】第１突出片近傍の構成を示す断面図である。
【図８】上部カバーを閉じた状態の第１トップカバー近傍の断面図である。
【図９】上部カバーを開いた状態の第１トップカバー近傍の断面図である。
【図１０】第２トップカバーを示す外観図である。
【図１１】カバートレイを閉鎖位置にした場合の第２トップカバー近傍の断面図である。
【図１２】カバートレイを開放位置にした場合の第２トップカバー近傍の断面図である。
【発明を実施するための形態】
【００１６】
以下、本発明に係るシート搬送装置を、シート搬送ユニット６０を有する多機能機１に具体化した一実施形態について、図面を参照しつつ詳細に説明する。
【００１７】
先ず、本実施形態に係る多機能機１の概略構成について、図面を参照しつつ詳細に説明する。尚、以下の説明において、多機能機１使用時のユーザの位置を基準にした方向を用いて説明する。即ち、図１における左下側を前側とし、図１における右上側を後側とする。又、多機能機１を前側から見たときを左右の基準とし、図１における左上側を左側とし、右下側を右側とする。
【００１８】
図１に示すように、多機能機１は、本体筐体１０と、シートカバー２５とを有している。本体筐体１０は、多機能機１における各種機能（スキャナ機能、ファクシミリ機能、プリンタ機能等）を実現するための各種構成部品を、当該本体筐体１０内部に収容している。
【００１９】
又、本体筐体１０は、当該本体筐体１０の前側上面に、複数の操作部を有する操作パネル１１と、種々の情報を表示する液晶ディスプレイ１３を有している。操作パネル１１は、多機能機１に対する種々の指示を入力する際に操作される。そして、本体筐体１０の前面には、給紙カセット１２が脱着可能に取り付けられている。当該給紙カセット１２は、被記録媒体であるシートを積層状態で収容している。
【００２０】
図１、図２に示すように、本体筐体１０は、上面側にスキャナユニット２０を有している。スキャナユニット２０は、原稿載置台として機能するコンタクトガラス２１、イメージセンサ２２、スライド軸、モータ等を備えている（図２参照）。コンタクトガラス２１は、所謂「プラテンガラス」であり、本体筐体１０の左右方向に沿って長辺が位置するＡ４サイズよりもやや大きな長方形状に形成されている。
【００２１】
イメージセンサ２２は、所謂、密着型イメージセンサ（ＣＩＳ：Contact Image Sensor）により構成され、コンタクトガラス２１上に位置する原稿シートの画像を読み取る。当該イメージセンサ２２は、主走査方向（即ち、本体筐体１０における前後方向）がＡ４サイズの短辺に相当する長さの読取範囲を有しており、本体筐体１０の左右方向に向かって伸びるスライド軸によって、左右方向の一定の範囲（Ａ４サイズの長辺寸法に相当する範囲）内をスライド移動可能に保持されている。従って、当該多機能機１は、制御部によるモータの駆動制御に基づいて、イメージセンサ２２をスライド軸に沿ってスライド移動しつつ、コンタクトガラス２１上に載置された原稿シートの画像を読み取り得る。
【００２２】
制御部は、ＣＰＵ、ＲＯＭ、ＲＡＭ等を有しており、多機能機１の各機能に係る制御の中枢を担う。又、制御部は、操作パネル１１と接続されている。従って、制御部は、操作パネル１１に対するユーザの入力操作に基づいて、ユーザ所望の制御を実行し得る。更に、制御部は、操作パネル１１に対するユーザの入力操作や演算処理結果に基づいて、液晶ディスプレイ１３上に種々の情報を表示し得る。
【００２３】
ファクシミリ部は、スキャナユニット２０により読み取った原稿シートの画像を、ネットワーク網を介して、ユーザ所望の相手先にファクシミリ通信する。又、当該ファクシミリ部は、ネットワーク網を介して、データ（ファクシミリデータ）を受信し得る。受信したファクシミリデータは、制御部によって画像形成部を制御することで、給紙カセット１２内のシート等に印刷出力される。
【００２４】
画像形成部は、制御部による制御に基づいて、入力された画像データを給紙カセット１２内のシートへ印刷出力する。当該多機能機１は、スキャナユニット２０により読み取った画像に基づく画像データを対象として、画像形成部を制御することで、コピー機能を実現する。又、当該多機能機１は、ネットワーク網を介して入力された印刷データを対象として、画像形成部を制御することで、プリンタ機能を実現する。
【００２５】
ここで、シートカバー２５は、本体筐体１０上面の後端縁を軸に開閉自在に配設されており、閉じた場合に本体筐体１０上面（即ち、コンタクトガラス２１）を覆う（図２参照）。従って、シートカバー２５を閉じた場合、当該シートカバー２５は、コンタクトガラス２１上にセットされた原稿シートをその位置に固定し得る。
【００２６】
図１、図２に示すように、シートカバー２５は、カバートレイ３０と、シートガイド面３５と、ユニット本体部４０と、上部カバー４５を有して構成されたカバー筐体２６を有し、当該シートカバー２５の左側部分に、シート搬送ユニット６０（所謂、ADF：Auto Document Feeder）を備えている。
【００２７】
図１に示すように、カバートレイ３０は、シートカバー２５上面中央部を構成し、当該カバートレイ３０の一端部（右側端部）に形成されたトレイ回動軸３１を中心に回動可能に設けられている（図１、図２、図１１、図１２参照）。図１に示すように、カバートレイ３０を閉じた状態（以下、この位置を閉鎖位置という）では、カバートレイ３０は、シートカバー２５の上面を構成し、後述する第１トップカバー７０、第２トップカバー８０表面と略同一な平面を形成する。
【００２８】
尚、カバートレイ３０が閉鎖位置にある場合に、シートカバー２５の外表面を構成する面を、カバートレイ３０の「第１面」といい、その裏面側（閉鎖位置にある場合に内側の面）を、カバートレイ３０の「第２面」という。
【００２９】
そして、カバートレイ３０を所定量回動させると、当該カバートレイ３０は、所定の使用位置に位置する（図２参照）。この時、カバートレイ３０が使用位置に位置する場合、カバートレイ３０の第２面が上方を向き、且つ、シート搬送ユニット６０に向かって下り勾配となる傾斜をなす状態となる（図２参照）。従って、カバートレイ３０が使用位置にある場合、当該カバートレイ３０の第２面には、複数枚の原稿シートを積層状態で載置可能な状態となる。即ち、当該カバートレイ３０は、使用位置に位置する場合、給紙トレイとして機能する。
【００３０】
ここで、閉鎖位置にあるカバートレイ３０の下方には、シートガイド面３５と、シートガイド部材３６が位置している（図２参照）。従って、カバートレイ３０を所定量回動し、所定の使用位置へ回動すると、一対のシートガイド部材３６と、シートガイド面３５が外部に露出する。
【００３１】
シートガイド面３５は、シート搬送ユニット６０の下部に相当するユニット本体部４０内に形成されたシート搬送路Ｒ（図２参照）の一端部に沿って形成された平面であり、使用位置にあるカバートレイ３０の一端縁に連続する。従って、当該シートガイド面３５は、カバートレイ３０の第２面に載置された原稿シートを、シート搬送ユニット６０内のシート搬送路Ｒへと案内する。
【００３２】
そして、シートガイド部材３６は、シートガイド面３５上を双方とも前後方向へスライド可能に配設されている。当該シートガイド部材３６は、連動機構（図示せず）により、一方に連動して他方が一方とは逆方向へスライドするように構成されている。従って、一対のシートガイド部材３６の間隔を変更する際には、一方を操作するだけで、双方を互いに接近又は離間する方向へスライドさせ得る。これにより、当該多機能機１においては、シートガイド部材３６を操作することにより、シートガイド部材３６を基準にして原稿シートを整列させることができ、原稿シートが搬送方向に対して傾くのを抑制し得る。
【００３３】
更に、シートガイド部材３６は、夫々、仕切板３６Ａを有している。当該仕切板３６Ａは、シートガイド面３５の上方において、当該シートガイド面３５との間に、一定の間隔を隔てるように形成されている。
【００３４】
図２、図１１、図１２に示すように、カバートレイ３０のトレイ回動軸３１の下方には、凹部３７が形成されている。当該凹部３７は、カバートレイ３０が回動する際に、カバートレイ３０のトレイ回動軸３１側の端部が通過する為の空間を構成する。従って、当該カバートレイ３０は、当該凹部３７によって、トレイ回動軸３１を中心に円滑に回動する。又、当該凹部３７によって、シートガイド面３５表面とカバートレイ３０のトレイ回動軸３１を高さ方向に接近させ得るので、シートカバー２５の薄型化を図り得る。
【００３５】
上述したように、シートカバー２５の左側部分には、シート搬送ユニット６０の主要部（原稿シートを搬送する機構部）が配設されている。当該シート搬送ユニット６０は、カバートレイ３０の第２面、シートガイド面３５に載置された原稿シートを連続して給紙し、一枚ずつに分離して、シート搬送ユニット６０の主要部内に形成された所定のシート搬送路Ｒ（図２参照）に沿って搬送する。そして、当該多機能機１は、シート搬送ユニット６０により原稿シートを搬送する途中で、スキャナユニット２０等により画像を読み取る方式で、原稿シートの画像を読み取り得る。
【００３６】
当該シート搬送路Ｒは、カバートレイ３０の第２面、シートガイド面３５から延び、シートガイド部材３６の仕切板３６Ａ表面を接続するように略Ｕ字状に形成されており、シート搬送ユニット６０の左右方向に沿っている（図２参照）。尚、本実施形態においては、シートガイド面３５表面からシート搬送路Ｒに沿って仕切板３６Ａへ向かう方向を原稿シートの搬送方向という。そして、原稿シートの幅方向とは、シート搬送路Ｒを搬送される原稿シートの幅方向（即ち、シート搬送ユニット６０における前後方向）を意味する。
【００３７】
図２、図８、図９に示すように、シートカバー２５の左側部分には、ユニット本体部４０と、上部カバー４５が形成されている。ユニット本体部４０は、上述したようにカバー筐体２６を構成し、シート搬送ユニット６０の主要な機構部（例えば、後述する搬送ローラ対６１や搬送駆動ローラ６２等）を収容している。即ち、ユニット本体部４０は、シート搬送ユニット６０における主要部を構成する。又、当該ユニット本体部４０には、シート搬送路Ｒの一部が形成されており、シートガイド面３５近傍と、当該ユニット本体部４０の上面を接続している（図２参照）。
【００３８】
そして、上部カバー４５は、ユニット本体部４０の左端部に位置する回動軸４９を中心に回動自在に軸支されており、ユニット本体部４０の上面に対して開閉可能に配設されている（図８、図９参照）。当該上部カバー４５の内側面（下面）は、ユニット本体部４０の上面と協働して、シート搬送路Ｒの一部を構成する。従って、ユニット本体部４０上面と上部カバー４５の間に形成されるシート搬送路Ｒは、ユニット本体部４０内部に形成されたシート搬送路Ｒと連通しており、シートガイド部材３６の仕切板３６Ａへ延びている。
【００３９】
尚、上部カバー４５上面（後述する第１トップカバー取付面４６）には、第１トップカバー７０及び装飾シートＤが、着脱自在に取り付けられる。この点については、後に詳細に説明する。
【００４０】
図２に示すように、シートカバー２５の右側部分には、第２トップカバー取付面５０が形成されている。第２トップカバー取付面５０は、シートカバー２５の右側部分において、カバー筐体２６の上面を構成し、後述する第２トップカバー８０及び装飾シートＤが着脱自在に取り付けられる平面である。尚、第２トップカバー取付面５０の構成については、後に詳細に説明する。
【００４１】
ここで、多機能機１におけるシート搬送ユニット６０の構成について、図２を参照しつつ詳細に説明する。当該シート搬送ユニット６０は、搬送ローラ対６１と、搬送駆動ローラ６２と、シート押圧部材６３と、搬送従動ローラ６４とを主に備えて構成されており、上述したように、原稿シートを所定のシート搬送路Ｒ（図２参照）に沿って搬送する。
【００４２】
図４、図７、図８に示すように、搬送ローラ対６１は、一対のローラがシート搬送路Ｒを介して相互に対向するように配設されており、制御部による制御に従って、シート搬送路Ｒ上に位置する原稿シートを挟持しつつ回転駆動する。搬送駆動ローラ６２は、ユニット本体部４０の上面に沿って、回転自在に配設されており、ユニット本体部４０の上面に沿ったシート搬送路Ｒを搬送される原稿シートを、シートガイド部材３６の仕切板３６Ａ上面に向かって搬送する。
【００４３】
そして、シート押圧部材６３は、搬送ローラ対６１よりも搬送方向上流側に配設されており、シート搬送路Ｒ上の原稿シートを、コンタクトガラス２１側に押し当てる。ここで、当該多機能機１においては、シート搬送ユニット６０を用いて原稿シートの画像を読み取る場合に、イメージセンサ２２は、シート押圧部材６３の下方に位置する。従って、当該多機能機１は、シート押圧部材６３下方を通過する原稿シートから、コンタクトガラス２１を介して、イメージセンサ２２により画像を読み取ることができる。この時、当該原稿シートは、シート押圧部材６３により、コンタクトガラス２１側へ押圧されているため、より高精度で画像内容を読み取り得る。
【００４４】
当該搬送従動ローラ６４は、上部カバー４５の内側面において回転自在に保持されており、ユニット本体部４０上面に対して上部カバー４５を閉じた場合に、シート搬送路Ｒを介して、搬送駆動ローラ６２と対向する。従って、当該搬送従動ローラ６４は、搬送駆動ローラ６２と協働して、シート搬送路Ｒを搬送される原稿シートを、シートガイド部材３６の仕切板３６Ａ上面に向かって搬送し得る。
【００４５】
続いて、本実施形態に係る多機能機１における上部カバー４５の構成について、図面を参照しつつ詳細に説明する。上述したように、上部カバー４５は、シートカバー２５の左側部分において、ユニット本体部４０に対して開閉自在に取り付けられる。図３に示すように、上部カバー４５は、第１トップカバー取付面４６と、回動軸４９とを有している。当該回動軸４９は、上部カバー４５の左側端部において、前後方向に直線状に延びており、上部カバー４５をユニット本体部４０に対して開閉自在に軸支する。
【００４６】
第１トップカバー取付面４６は、カバー筐体２６の左側部分における上面を構成する平面部分であり、図３に示すように、第１スライド孔４７と、第１係合孔４８と、を有している。当該第１トップカバー取付面４６には、後述する第１トップカバー７０が、装飾シートＤを保持した状態で、着脱可能に取り付けられる。
【００４７】
第１スライド孔４７は、第１トップカバー取付面４６の右端縁側の角部において、左右方向に長辺を有する略長方形状に穿設された孔であり、前記第１トップカバー７０を取り付ける際に、後述する第１トップカバー７０に形成された第１突出片７３がスライド移動可能に挿通される（図３、図８、図９参照）。そして、当該第１スライド孔４７は、第１スライド孔４７の左側開口縁から延び、裏面（ユニット本体部４０側の面）に向かって傾斜する傾斜面を有している。当該第１トップカバー７０の着脱を行う場合、第１突出片７３は、当該傾斜面に沿って移動することにより、スライド移動しながら第１スライド孔４７を挿通する。
【００４８】
第１係合孔４８は、第１トップカバー取付面４６の左端縁側の角部に形成されており、前記第１トップカバー７０を取り付ける際に、後述する第１トップカバー７０に形成された第１スライド係合片７４と係合して、第１トップカバー７０を第１トップカバー取付面４６上に着脱可能に保持する（図３、図８、図９参照）。当該第１係合孔４８は、第１トップカバー取付面４６から延出形成され、下面側に係合凹部を有する第１被係合片４８Ａと、被係合片の下方側で、第１スライド係合片７４が左右方向にスライド移動可能な孔部により構成される。
【００４９】
次に、本実施形態に係る多機能機１の第１トップカバー７０の構成について、図面を参照しつつ詳細に説明する。当該第１トップカバー７０は、無色透明を呈する透明樹脂により形成されており、上部カバー４５の上面（第１トップカバー取付面４６）に、着脱可能に取り付けられる。又、当該第１トップカバー７０は、平面部７１と、側面部７２と、第１突出片７３と、第１スライド係合片７４を有しており、第１トップカバー取付面４６との間に、所定の模様が形成された装飾シートＤを保持可能に構成されている。
【００５０】
平面部７１は、第１トップカバー取付面４６と略同一形状をなす平板状の部分であり、当該第１トップカバー７０を上部カバー４５に取り付けた場合に、第１トップカバー取付面４６と対向する対向面７１Ａを有している。装飾シートＤは、第１突出片７３及び第１スライド係合片７４によって、当該対向面７１Ａに沿って保持される。当該対向面７１Ａには、突条部７６が、夫々、第１突出片７３に沿って、第１トップカバー取付面４６側に突出形成されている（図４、図７参照）。又、当該対向面７１Ａには、突条部７７が、夫々、第１スライド係合片７４に沿って、第１トップカバー取付面４６側に突出形成されている（図４〜図６参照）。そして、側面部７２は、平面部７１の左側端縁から左下方に向かって延出された側面部分である。
【００５１】
第１突出片７３は、平面部７１の右端縁側の角部において、下方に向かって立設されており、前記第１トップカバー７０を取り付ける際に、第１スライド孔４７をその長辺方向に沿ってスライド移動しつつ挿通する。当該第１突出片７３は、第１トップカバー取付面４６に形成された第１スライド孔４７と協働することで、第１トップカバー７０を第１トップカバー取付面４６の所定位置に、着脱可能に保持する。第１トップカバー７０を第１トップカバー取付面４６に取り付けた場合、当該第１突出片７３は、上部カバー４５における第１トップカバー取付面４６よりも下方の所定位置まで突出する（図８、図９参照）。
【００５２】
図７に示すように、第１突出片７３は、対向面７１Ａに沿って延びるシート保持リブ７３Ａを有している。尚、図７は、図４におけるＢ−Ｂ断面を示す。当該シート保持リブ７３Ａは、対向面７１Ａとの間に、左側部分が開放されたスリット状の間隙Ｇを形成する。従って、装飾シートＤの右端縁は、対向面７１Ａとシート保持リブ７３Ａの間に形成された間隙Ｇ内に進入し得る。つまり、第１トップカバー７０は、対向面７１Ａとシート保持リブ７３Ａにより構成される間隙Ｇに、装飾シートＤの右端縁を進入させることによって、装飾シートＤを対向面７１Ａに沿って保持し得る。
【００５３】
そして、突条部７６は、第１突出片７３のシート保持リブ７３Ａに沿って、対向面７１Ａに形成されている。図７に示すように、突条部７６は、対向面７１Ａに平行な方向において、シート保持リブ７３Ａと一定の間隔を隔てて形成されている。又、突条部７６の先端は、前記対向面７１Ａに鉛直な方向において、前記シート保持リブ７３Ａの端面よりも対向面７１Ａから離間した位置に位置している。即ち、突条部７６とシート保持リブ７３Ａとは、前後方向から見た場合に、鉛直方向に重なりを有している。従って、対向面７１Ａに水平な平面方向において、間隙Ｇに進入する装飾シートＤの左端縁は、対向面７１Ａに沿った後、突条部７６の先端部、突条部７６とシート保持リブ７３Ａの間の空間、シート保持リブ７３Ａの端面と接触して変形する（図７参照）。この結果、装飾シートＤの右端縁は、この変形に伴う装飾シートＤ自体の復元力により、突条部７６の先端、シート保持リブ７３Ａの端面に、より確実に接触する。これにより、当該第１トップカバー７０は、突条部７６及びシート保持リブ７３Ａの協働によって、装飾シートＤの右端縁を確実に保持し得る。
【００５４】
第１スライド係合片７４は、前記側面部７２の前後方向両端部に形成されており、当該側面部７２から右方向へ、前記平面部７１（対向面７１Ａ）に沿って延出された係合片である。前記第１トップカバー７０を取り付ける際に、第１スライド係合片７４は、第１トップカバー７０のスライド移動に伴って、上部カバー４５に形成された第１係合孔４８内に進入する。ここで、第１スライド係合片７４は、その上面の先端部分に突部を有している。第１トップカバー７０が所定位置まで移動すると、当該突部は、第１係合孔４８を構成する被係合片の係合凹部に嵌合する。従って、当該第１トップカバー７０は、第１スライド係合片７４と第１係合孔４８によって、第１トップカバー取付面４６に対して着脱可能に取り付けられる。
【００５５】
図５、図６に示すように、第１スライド係合片７４は、対向面７１Ａに向かって立設されたシート保持リブ７４Ａを有している。尚、図５は、図４におけるＡ−Ａ断面を示す。当該シート保持リブ７４Ａは、対向面７１Ａとの間に、右側部分が開放されたスリット状の間隙Ｇを形成する。従って、装飾シートＤの左端縁は、対向面７１Ａとシート保持リブ７４Ａの間に形成された間隙Ｇ内に進入し得る。つまり、第１トップカバー７０は、対向面７１Ａとシート保持リブ７４Ａにより構成される間隙Ｇに、装飾シートＤの左端縁を進入させることによって、装飾シートＤを対向面７１Ａに沿って保持し得る。
【００５６】
そして、突条部７７は、第１スライド係合片７４のシート保持リブ７４Ａに沿って、対向面７１Ａに形成されている。図５、図６に示すように、突条部７７は、対向面７１Ａに平行な方向において、シート保持リブ７４Ａと一定の間隔を隔てて形成されている。又、突条部７７の先端は、前記対向面７１Ａに鉛直な方向において、前記シート保持リブ７４Ａの端面よりも対向面７１Ａから離間した位置に位置している。即ち、突条部７７とシート保持リブ７４Ａとは、前後方向から見た場合に、鉛直方向に重なりを有している。従って、対向面７１Ａに水平な平面方向において、装飾シートＤの左端縁は、対向面７１Ａに沿った後、突条部７７の先端部、突条部７７とシート保持リブ７４Ａの間の空間、シート保持リブ７４Ａの端面と接触して変形する（図５参照）。この結果、装飾シートＤの左端縁は、この変形に伴う装飾シートＤ自体の復元力により、突条部７７の先端、シート保持リブ７４Ａの端面に、より確実に接触する。これにより、当該第１トップカバー７０は、突条部７７及びシート保持リブ７４Ａの協働によって、装飾シートＤの左端縁を確実に保持し得る。
【００５７】
又、第１スライド係合片７４は、対向面７１Ａとの間に、被係合片進入空間Ｓを有している（図６参照）。被係合片進入空間Ｓは、第１トップカバー７０を第１トップカバー取付面４６に取り付ける際に、第１係合孔４８の第１被係合片４８Ａが進入する空間であり、第１スライド係合片７４表面からシート保持リブ７４Ａ端面までの距離が、第１被係合片４８Ａの厚みと略同一となるように構成されている。従って、当該第１スライド係合片７４に装飾シートＤを保持した状態であっても、第１被係合片４８Ａを、被係合片進入空間Ｓに進入させることができる（図８、図９参照）。これにより、当該第１トップカバー７０は、装飾シートＤを対向面７１Ａに沿って保持している状態であっても、第１係合孔４８を介して、第１トップカバー取付面４６に取り付け得る。
【００５８】
上述したように、第１突出片７３、第１スライド係合片７４は、間隙Ｇに装飾シートＤの端縁を挿入することで、当該装飾シートＤを、第１トップカバー７０における平面部７１の対向面７１Ａに沿って保持する機能を果たす。従って、当該装飾シートＤの模様は、透明樹脂製の第１トップカバー７０を介して、視認することができる。又、当該装飾シートＤは、第１トップカバー７０を上部カバー４５の第１トップカバー取付面４６から着脱することで、異なる模様の装飾シートＤに交換し得る。そして、装飾シートＤは、第１突出片７３及び側面部７２から延出形成された第１スライド係合片７４における間隙Ｇにより保持される。又、図５〜図７から明らかなように、装飾シートＤは、第１突出片７３、第１スライド係合片７４の間隙Ｇを介して、平面部７１の端部まで挿入され得る。即ち、当該第１トップカバー７０は、平面部７１と略同形状の大きさの装飾シートＤを、切り欠き等の加工を施すことなく、多機能機１の装飾に用い得る。又、装飾シートＤは、対向面７１Ａに沿って保持されており、平面部７１と、第１突出片７３及び第１スライド係合片７４の間に位置する（図２、図５〜図９参照）。従って、多機能機１の外観上、第１突出片７３、第１スライド係合片７４は、装飾シートＤにより隠されるため、多機能機１の外部から視認されることはない。
【００５９】
続いて、上部カバー４５の第１トップカバー取付面４６に対する第１トップカバー７０の着脱操作について、図面を参照しつつ詳細に説明する。先ず、第１トップカバー７０を第１トップカバー取付面４６に取り付けた状態で、上部カバー４５を閉じた場合について説明する。
【００６０】
上述したように、第１トップカバー７０は、第１スライド孔４７と第１突出片７３及び、第１係合孔４８と第１スライド係合片７４が協働することにより、第１トップカバー取付面４６に対して着脱可能に取り付けられている。図８、図９に示すように、第１トップカバー取付面４６から第１トップカバー７０を取り外す場合、ユーザは、第１トップカバー７０を回動軸４９側（多機能機１の左側）に向かってスライド移動させる。
【００６１】
尚、第１トップカバー７０の取り外す際のスライド移動方向（多機能機１の左方向）を「第１トップカバー取り外し方向」といい、その逆方向を「第１トップカバー取付方向」という。
【００６２】
ここで、本実施形態に係るユニット本体部４０は、スライド規制部４１を、当該ユニット本体部４０の左端側の２箇所に有している。スライド規制部４１は、上部カバー４５の右端部と回動軸４９の間の距離よりも、当該スライド規制部４１と回動軸４９の間の距離がやや短くなる位置に形成されている。従って、第１トップカバー７０を取り付けた状態で、上部カバー４５を閉じると、第１トップカバー７０の第１突出片７３は、上部カバー４５の第１スライド孔４７を挿通した状態で、ユニット本体部４０のスライド規制部４１近傍に位置する。即ち、図８に示すように、スライド規制部４１は、第１突出片７３よりも回動軸４９側（左側）に位置する。
【００６３】
そして、スライド規制部４１は、第１トップカバー取付面４６よりもやや低い位置までの高さで立設されている。即ち、第１トップカバー７０を取り付けた状態で、上部カバー４５を閉じると、スライド規制部４１の上端部は、第１スライド孔４７を挿通する第１トップカバー７０の第１突出片７３の下端よりも上方に位置する。従って、第１トップカバー７０を取り付けた状態で、上部カバー４５が閉じられている場合、第１トップカバー７０を「第１トップカバー取り外し方向」にスライドさせたとしても、第１トップカバー７０の第１突出片７３は、スライド規制部４１の右側面に接触する。即ち、第１トップカバー７０のスライド移動量は、スライド規制部４１によって制限され、第１スライド係合片７４と第１係合孔４８の係合を解除可能なスライド移動量となることはない。これにより、上部カバー４５を閉じた状態では、ユーザは、第１トップカバー７０を第１トップカバー取付面４６から取り外すことはできない（図８参照）。
【００６４】
続いて、第１トップカバー７０を第１トップカバー取付面４６に取り付けた状態で、上部カバー４５を開いた場合について説明する。図９に示すように、上部カバー４５を開くと、第１突出片７３は、上部カバー４５の回動に伴い上方へ移動し、ユニット本体部４０に形成されたスライド規制部４１から離間する。従って、上部カバー４５を開いた状態では、スライド規制部４１は、第１トップカバー７０「第１トップカバー取り外し方向」にスライド移動させた場合における第１突出片７３の軌道上に位置することはない。即ち、上部カバー４５を開いた状態であれば、ユーザは、第１トップカバー７０を「第１トップカバー取り外し方向」にスライド移動させることで、第１スライド係合片７４と第１係合孔４８の係合を解除することができ、第１トップカバー７０を第１トップカバー取付面４６から取り外すことができる。
【００６５】
このように、本実施形態に係る多機能機１においては、上部カバー４５を閉じ、シート搬送ユニット６０を利用可能な状態においては、第１突出片７３及びスライド規制部４１により、第１トップカバー７０を第１トップカバー取付面４６から取り外すことができない。即ち、当該多機能機１によれば、ユーザが、意図せず、第１トップカバー７０に接触した場合に、当該第１トップカバー７０が外れてしまうことはない。
【００６６】
又、本実施形態に係る多機能機１は、上部カバー４５を開いた場合には、第１トップカバー７０を「第１トップカバー取り外し方向」にスライド移動することにより、第１スライド係合片７４と第１係合孔４８の係合を解除し得る。即ち、当該多機能機１によれば、上部カバー４５を開く操作、第１トップカバー７０を「第１トップカバー取り外し方向」にスライド移動させる操作といった簡単な操作を行えば、第１トップカバー７０を上部カバー４５から取り外し得る。
【００６７】
次に、本実施形態に係る第２トップカバー８０の構成について、図面を参照しつつ詳細に説明する。図１、図２に示すように、第２トップカバー８０は、無色透明を呈する透明樹脂により形成されており、シートカバー２５上面の右側部分を構成する。第２トップカバー８０は、第２トップカバー取付面５０に対して着脱可能に取り付けられ、第２トップカバー取付面５０との間に、所定の模様が形成された装飾シートＤを保持可能に構成されている。
【００６８】
尚、第２トップカバー取付面５０の左端縁側の２箇所の角部に、第２スライド孔が形成されている（図示せず）。当該第２スライド孔は、上述した第１スライド孔とほぼ同様の構成であり、第２トップカバー８０の第２突出片８３によって挿通される。又、第２トップカバー取付面５０の右端縁側の２箇所の角部には、第２係合孔が形成されている（図示せず）。当該第２係合孔は、上述した第１係合孔４８と同様の構成であり、第２被係合片と、孔部により構成される。当該第２係合孔は、第２トップカバー８０の第２スライド係合片８４と協働することにより、第２トップカバー８０を第２トップカバー取付面５０に対して着脱可能に保持する。
【００６９】
図１０に示すように、第２トップカバー８０は、平面部８１と、側面部８２と、第２突出片８３と、第２スライド係合片８４と、ロック片８５とを有している。平面部８１は、第２トップカバー取付面５０と略同一形状をなす平板状の部分であり、第２トップカバー取付面５０と対向する対向面８１Ａを有している。装飾シートＤは、第２突出片８３及び第２スライド係合片８４によって、当該対向面８１Ａに沿って保持される。当該対向面８１Ａには、突条部８６が、夫々、第２突出片８３に沿って、第２トップカバー取付面５０側に突出形成されている（図１０参照）。又、当該対向面８１Ａには、突条部８７が、夫々、第２スライド係合片８４に沿って、第２トップカバー取付面５０側に突出形成されている（図１０参照）。そして、側面部８２は、平面部８１の右側端縁から右下方に向かって延出された側面部分である。
【００７０】
第２突出片８３は、平面部８１の左端縁側の角部において、下方に向かって立設されており、上述した第１突出片７３とほぼ同様の構成を有している。前記第２トップカバー８０を取り付ける際に、当該第２突出片８３は、第２スライド孔をスライド移動しつつ挿通する。当該第２突出片８３は、第２トップカバー取付面５０に形成された第２スライド孔と協働することで、第２トップカバー８０を第２トップカバー取付面５０の所定位置に着脱可能に保持する。
【００７１】
そして、第２突出片８３は、第１突出片７３と同様に、シート保持リブを有している。当該シート保持リブは、対向面８１Ａとの間に、右側部分が開放された間隙Ｇを形成する。従って、装飾シートＤの左端縁は、対向面８１Ａと当該シート保持リブにより構成される間隙Ｇ内に進入し得る。即ち、第２トップカバー８０は、対向面８１Ａとシート保持リブにより形成される間隙Ｇに、装飾シートＤの左端縁を進入させることで、装飾シートＤを対向面８１Ａに沿って保持し得る。
【００７２】
又、突条部８６は、第２突出片８３のシート保持リブに沿って、対向面８１Ａに形成されている。即ち、突条部８６は、第２突出片８３のシート保持リブに対して、第１突出片７３におけるシート保持リブ７３Ａと、突条部７６の位置関係（図７参照）と同様になるように形成されている。従って、第２トップカバー８０は、突条部８６及び第２突出片８３のシート保持リブの協働によって、装飾シートＤの左端縁を確実に保持し得る。
【００７３】
第２スライド係合片８４は、前記側面部８２の前後方向両端部に形成されており、当該側面部８２から左方向へ、前記平面部７１に沿って延出された係合片である。前記第２トップカバー８０を取り付ける際に、第２スライド係合片８４は、第２トップカバー８０のスライド移動に伴って、第２トップカバー取付面５０に形成された第２係合孔内に進入する。従って、当該第２トップカバー８０は、第２スライド係合片８４と第２係合孔によって、第２トップカバー取付面５０に対して着脱可能に取り付けられる。
【００７４】
又、第２スライド係合片８４は、第１スライド係合片７４と同様に、対向面８１Ａに向かって立設されたシート保持リブを有しており、当該シート保持リブは、対向面８１Ａとの間に、左側部分が開放されたスリット状の間隙Ｇを形成する。従って、装飾シートＤの右端縁は、対向面８１Ａと当該シート保持リブの間に形成された間隙Ｇ内に進入し得る。即ち、第２トップカバー８０は、対向面８１Ａと、第２スライド係合片８４のシート保持リブにより構成される間隙Ｇに、装飾シートＤの右端縁を進入させることによって、装飾シートＤを対向面８１Ａに沿って保持し得る。
【００７５】
そして、突条部８７は、第２スライド係合片８４のシート保持リブに沿って、対向面８１Ａに形成されている。即ち、突条部８７は、第２スライド係合片８４のシート保持リブに対して、第１スライド係合片７４におけるシート保持リブ７４Ａと、突条部７７の位置関係（図５、図６参照）と同様になるように形成されている。従って、第２トップカバー８０は、突条部８７及び第２スライド係合片８４のシート保持リブの協働によって、装飾シートＤの右端縁を確実に保持し得る。
【００７６】
又、第２スライド係合片８４は、第１スライド係合片７４と同様に（図６参照）、対向面８１Ａとの間に被係合片進入空間を有している。被係合片進入空間は、第２トップカバー８０を第２トップカバー取付面５０に取り付ける際に、第２係合孔の第２被係合片が進入する空間であり、第２スライド係合片８４表面からシート保持リブ端面までの距離が、第２被係合片の厚みと略同一となるように構成されている。従って、当該第２スライド係合片８４に装飾シートＤを保持した状態であっても、第２被係合片を、被係合片進入空間に進入させることができる。これにより、当該第２トップカバー８０は、装飾シートＤを対向面８１Ａに沿って保持している状態であっても、第２係合孔を介して、第２トップカバー取付面５０に取り付け得る。
【００７７】
ここで、第２トップカバー８０の取り外す際のスライド移動方向（多機能機１の右方向）を「第２トップカバー取り外し方向」といい、その逆方向を「第２トップカバー取付方向」という。
【００７８】
上述したように、第２突出片８３、第２スライド係合片８４は、間隙Ｇに装飾シートＤの端縁を挿入することで、当該装飾シートＤを平面部８１の対向面８１Ａに沿って保持する機能を果たす。従って、当該装飾シートＤの模様は、透明樹脂製の第２トップカバー８０を介して、視認することができる。又、当該装飾シートＤは、第２トップカバー８０を第２トップカバー取付面５０から着脱することで、異なる模様の装飾シートＤに交換し得る。そして、装飾シートＤは、第２突出片８３及び側面部８２から延出形成された第２スライド係合片８４における間隙Ｇにより保持される。即ち、当該第２トップカバー８０は、平面部８１と略同形状の大きさの装飾シートＤを、切り欠き等の加工を施すことなく、多機能機１の装飾に用い得る。又、装飾シートＤは、対向面８１Ａに沿って保持されており、平面部８１と、第２突出片８３及び第２スライド係合片８４の間に位置する（図２、図１１、図１２参照）。従って、多機能機１の外観上、第２突出片８３、第２スライド係合片８４は、装飾シートＤにより隠されるため、多機能機１の外部から視認されることはない。
【００７９】
ロック片８５は、第２トップカバー８０の左側端縁の中央部において、第２トップカバー取付面５０と対向する面に立設されており、第２トップカバー取付面５０に形成されたスライド規制爪部５１と協働して、第２トップカバー８０の「第２トップカバー取り外し方向」へのスライド移動を規制する。
【００８０】
ここで、スライド規制爪部５１は、第２トップカバー取付面５０の左側端縁の中央部分に位置する一定範囲を下方に窪ませた凹部と、当該凹部における左側端縁に沿って上方へ突出形成された爪部とにより構成される（図１１、図１２参照）。そして、スライド規制爪部５１は、第２トップカバー８０が第２トップカバー取付面５０に取り付けられている場合、第２トップカバー８０におけるロック片８５に対して、「第２トップカバー取り外し方向」の下流側に位置する。この時、当該スライド規制爪部５１は、その先端部（図１１、図１２中、左端部）によって、ロック片８５における「第２トップカバー取り外し方向」下流側の側面に接触する。従って、当該多機能機１において、第２トップカバー８０は、単純に「第２トップカバー取り外し方向」に向かってスライド移動させただけでは、スライド移動量が規制されるため、第２トップカバー取付面５０から取り外すことができない。
【００８１】
続いて、第２トップカバー取付面５０に対する第２トップカバー８０の着脱操作について、図面を参照しつつ詳細に説明する。図１１に示すように、第２トップカバー８０を取り外す為には、第２トップカバー８０のロック片８５と、第２トップカバー取付面５０のスライド規制爪部５１が接触しないようにし、「第２トップカバー取り外し方向」へのスライド移動を可能にする必要がある。従って、ユーザは、第２トップカバー８０の左側端縁（即ち、カバートレイ３０と隣接する端縁部）を上方に引き上げる操作を行う必要がある。
【００８２】
図１等に示すように、第２トップカバー８０の左側には、カバートレイ３０が隣接して配設されている。従って、カバートレイ３０が閉鎖位置にある場合（図１、図１１参照）、ユーザは、第２トップカバー８０の左側端縁を下方から引き上げることはできない。つまり、カバートレイ３０が閉鎖位置にある場合、第２トップカバー８０は、ロック片８５とスライド規制爪部５１の協働により、「第２トップカバー取り外し方向」へのスライド移動が規制された状態にある（図１１参照）。従って、当該多機能機１によれば、ユーザが、意図せず、第２トップカバー８０に接触した場合であっても、当該第２トップカバー８０が第２トップカバー取付面５０から外れてしまうことはない。
【００８３】
上述したように、カバートレイ３０は、トレイ回動軸３１を中心に回動可能に取り付けられている。ここで、カバートレイ３０を所定量回動させ、所定位置（例えば、図１２参照）に位置させた場合、凹部３７は、シートカバー２５外部と連通する。即ち、カバートレイ３０が所定位置に位置する場合、ユーザは、シートカバー２５の外部から手指を、第２トップカバー８０の下面における左端縁にかけることができ、第２トップカバー８０を上方に引き上げることができる。
【００８４】
第２トップカバー８０の左端縁を引き上げることにより、第２トップカバー８０のロック片８５は、第２トップカバー取付面５０のスライド規制爪部５１よりも上方に位置する。ここで、ロック片８５は、第２トップカバー８０の左端縁における中央部分に形成されているため、ロック片８５は、ユーザによる引き上げ操作に基づく撓み量が最も大きくなる部分に形成されている。従って、ユーザは、過剰に力を加えることなく、ロック片８５をスライド規制爪部５１よりも上方に位置させ得る。そして、この状態であれば、ロック片８５の「第２トップカバー取り外し方向」下流側に、スライド規制爪部５１が存在していないので、ユーザは、「第２トップカバー取り外し方向」へ第２トップカバー８０をスライド移動することで、第２トップカバー８０を第２トップカバー取付面５０から取り外すことができる。
【００８５】
このように、本実施形態に係る多機能機１においては、第２トップカバー８０は、基本的には、ロック片８５とスライド規制爪部５１の協働により、「第２トップカバー取り外し方向」のスライド移動が規制されている。従って、当該多機能機１によれば、ユーザが、意図せず、第２トップカバー８０に接触した場合であっても、当該第２トップカバー８０が第２トップカバー取付面５０から外れてしまうことはない。
【００８６】
そして、本実施形態に係る多機能機１では、「第２トップカバー取り外し方向」への第２トップカバー８０のスライド移動を可能とする為には、第２トップカバー８０の左端縁を上方に引き上げる必要がある。第２トップカバー８０を引き上げた場合、第２トップカバー８０の「第２トップカバー取り外し方向」へのスライド移動が可能となる。従って、ユーザは、第２トップカバー８０を「第２トップカバー取り外し方向」にスライド移動することにより、第２スライド係合片８４と第２係合孔の係合を解除し、第２トップカバー８０を、第２トップカバー取付面５０から取り外し得る。
【００８７】
ここで、第２トップカバー８０の左端縁を引き上げる為には、第２トップカバー８０の左端縁の下面側から上方に向かって力を加える必要がある。従って、カバートレイ３０を所定量回動し、第２トップカバー８０の左端縁に隣接している凹部３７とシートカバー２５外部とを連通することで、ユーザの手指が第２トップカバー８０の左端縁の下面に接触可能な状態にしなければならない。即ち、当該多機能機１によれば、カバートレイ３０を所定量回動させる操作、第２トップカバー８０の左端縁を引き上げつつ、第２トップカバー８０を「第２トップカバー取り外し方向」にスライド移動させる操作といった簡単な操作を行えば、第２トップカバー８０を第２トップカバー取付面５０から取り外し得る。
【００８８】
以上、実施形態に基づき本発明を説明したが、本発明は上述した実施形態に何ら限定されるものではなく、本発明の趣旨を逸脱しない範囲内で種々の改良変更が可能である。例えば、本実施形態においては、スキャナ機能、コピー機能、プリンタ機能、ファクシミリ機能を有する多機能機１を例として挙げていたが、この態様に限定するものではない。少なくとも、ＡＤＦ（Auto Document Feeder）を有していれば、その他の機能を追加、削除することも可能である。
【００８９】
又、本実施形態に係る第１トップカバー７０、第２トップカバー８０は、無色透明を呈する透明樹脂により形成されていたが、この態様に限定されるものではない。例えば、第１トップカバー７０、第２トップカバー８０を介して、装飾シートＤの模様等を視認可能な状態であれば、有色透明な樹脂のように、透光性を有する材料で形成することも可能である。更に、第１トップカバー７０、第２トップカバー８０全体を無色透明にする必要はなく、少なくとも、平面部７１、平面部８１を透明度の高い構成とすれば、他の部分の透明度は問わない。
【符号の説明】
【００９０】
１      多機能機
２５    シートカバー
４６    第１トップカバー取付面
４８    第１係合孔
５０    第２トップカバー取付面
６０    シート搬送ユニット
７０    第１トップカバー
７４    第１スライド係合片
７４Ａ  シート保持リブ
７７    突条部
８０    第２トップカバー
８４    第２スライド係合片
Ｄ      装飾シート
Ｇ      間隙
Ｒ      シート搬送路
【図１】
2012220921.tif 000003
【図２】
2012220921.tif 000004
【図３】
2012220921.tif 000005
【図４】
2012220921.tif 000006
【図５】
2012220921.tif 000007
【図６】
2012220921.tif 000008
【図７】
2012220921.tif 000009
【図８】
2012220921.tif 000010
【図９】
2012220921.tif 000011
【図１０】
2012220921.tif 000012
【図１１】
2012220921.tif 000013
【図１２】
2012220921.tif 000014